(57)【要約】【課題】  貨物搬送用のコンテナの内張板の着脱が容易となり、なおかつ、一度使用した内張板の再利用が可能となる。【解決手段】  内張板１４が、両面テープ２０を介して、コンテナ１０の扉１２の、室内側に露出する構造部材１６に対し固定される。内張板１４にリベットやタッピンねじ等、結合部材のための複数の孔を形成することなく、内張板１４を確実に構造部材１６に固定することが可能となる。両面テープ２０は、両面の剥離力に強弱差を有し、強い粘着力をもつ面を、内張板１４の交換時に両面テープ２０を残したい面に貼着しておくことで、交換時には容易に内張板１４が構造部材１６から剥れ、交換が可能となる。しかも、内張板１４は、表面と裏面との形態が同等に仕上られており、穿孔等の形態変化も受けていないことから、一度使用した内張板１４を裏返して、再利用することが可能となる。  【選択図】      図１
2007050911.tif 000002
【特許請求の範囲】
【請求項１】
コンテナの縦壁又は扉に縦横に延設され、室内側に露出する構造部材に対し、表面と裏面との形態が同等に仕上られた内張板が、両面の剥離力に強弱差を有する両面テープを介して固定されていることを特徴とするコンテナ。
【請求項２】
前記両面テープの、剥離力の強い面が前記室内側に露出する構造部材に対し貼着され、剥離力の弱い面が前記内張板に対し貼着されていることを特徴とする請求項１記載のコンテナ。
【請求項３】
前記両面テープは、前記室内側に露出する構造部材及び前記内張板に沿って、連続的に又は断続的に貼着されていることを特徴とする請求項１又は２記載のコンテナ。
【発明の詳細な説明】
【技術分野】
【０００１】
本発明は、貨物輸送用のコンテナに関し、特に内張板の取付け構造に関するものである。
【背景技術】
【０００２】
図３に示されるような、貨物搬送用のコンテナ１０は、積荷の保護等を目的として、鋼鉄やアルミ等からなる構造部材を室内にむき出しにせず、耐水合板等の内張板で覆い隠しているものが多い。図４には、コンテナ１０の扉１２の内張板１４の、一般的な取付け構造を示している。内張板１４は、コンテナ１０の扉１２に縦横に延設され、室内側に露出する金属製の構造部材１６（本説明では、構造部材１６には、コンテナ１０の強度を確保するための強度部材や、強度部材に固定された内張板取付け用のブラケット等を含む。）に対し、リベットやタッピンねじ等、複数の結合部材１８を用いて固定されている（例えば、特許文献１参照。）。
【０００３】
【特許文献１】特開昭５４−２７８８１号公報（第２頁）
【発明の開示】
【発明が解決しようとする課題】
【０００４】
しかしながら、従来の内張板１４の取付け構造では、内張板１４の交換の際に、複数の結合部材１８の取外し作業、及び、新たな内張板１４に対する結合部材１８の取付け作業に、多くの時間を要するものであった。又、結合部材１８の頭部が内張板１４の表面から突出することを防ぐために、内張板１４に孔や座ぐりを形成する等の作業が必要となり、しかも、かかる作業時にバリが発生し、これを除去する必要がある等、作業工数の増加を避けることが困難であった。
さらに、省資源化の要請から、内張板１４の表面に強度上問題のない傷がついている程度であれば、一度使用した内張板１４の表裏を裏返して再利用することが好ましい。しかしながら、従来の内張板１４の取付け構造では、取付け強度の問題等から、当初の固定時に形成された孔を、内張板の再利用時の孔として再利用できないケースが多く、新たな孔を形成する作業が必要となる等、コストアップにつながる手間が多く、内張板１４の再利用を困難としていた。
【０００５】
本発明は、上記課題に鑑みてなされたものであり、その目的とするところは、貨物搬送用のコンテナの内張板の着脱を容易とし、なおかつ、一度使用した内張板の再利用を可能とすることにある。
【課題を解決するための手段】
【０００６】
上記課題を解決するための、本発明に係るコンテナは、コンテナの縦壁又は扉に縦横に延設され、室内側に露出する構造部材に対し、表面と裏面との形態が同等に仕上られた内張板が、両面の剥離力に強弱差を有する両面テープを介して固定されていることを特徴とするものである。
本発明によれば、内張板が、両面テープを介して、コンテナの縦壁又は扉の、室内側に露出する構造部材に対し固定されることで、内張板にリベットやタッピンねじ等、結合部材のための複数の孔を形成することなく、内張板を確実に構造部材に固定することが可能となる。ここで使用される両面テープは、両面の剥離力に強弱差を有するものであり、強い粘着力をもつ面を、内張板の交換時に両面テープを残したい面に貼着しておくことで、交換時には容易に内張板が構造部材から剥れ、交換が可能となる。しかも、内張板は表面と裏面との形態が同等に仕上られており、穿孔等の形態変化も受けていないので、一度使用した内張板の表裏を裏返して、再利用することが可能となる。
【０００７】
又、本発明においては、前記両面テープの、剥離力の強い面が前記室内側に露出する構造部材に対し貼着され、剥離力の弱い面が前記内張板に対し貼着されていることが望ましい。
この構成により、内張板の交換時に、両面テープは内張板側から剥がれ、室内側に露出する構造部材側に残る。そして、剥がされた内張板の表裏を裏返して、それまで表側に位置していた面を、構造部材側に残った両面テープに貼着することで、内張板をそのまま再利用することが可能となる。
【０００８】
又、本発明においては、前記両面テープは、前記室内側に露出する構造部材及び前記内張板に沿って、連続的に又は断続的に貼着されていることが望ましい。
この構成により、前記室内側に露出する構造部材の幅や長さ、内張板の大きさ等に応じ、最適の粘着強度と、内張板を交換する際の最適の剥離力の設定が可能となる。
【発明の効果】
【０００９】
本発明はこのように構成したので、貨物搬送用のコンテナの内張板の着脱が容易となり、なおかつ、一度使用した内張板の再利用が可能となる。
【発明を実施するための最良の形態】
【００１０】
以下、本発明を実施するための最良の形態を添付図面に基づいて説明する。ここで、従来技術と同等部分、若しくは相当する部分については同等符号で示し、詳しい説明を省略する。
【００１１】
図１には、本発明の実施の形態に係るコンテナ１０の、扉１２の内張板１４の取付け構造を示している。この内張板１４は、表面と裏面との形態（表面の材質、凹凸形状、表面処理等）が、内張板としての機能を発揮する上で、同等に仕上られた耐水合板である。また、内張板の取扱い性や交換時の作業性等を考慮して、１枚の扉１２を覆う内張板１４は、２枚以上に分割されている。そして、扉１２の室内側に露出する構造部材１６に対し、内張板１４が、両面の剥離力に強弱差を有する両面テープ２０を介して固定されている。この際、両面テープ２０は、剥離力（粘着力）の強い面が室内側に露出する構造部材１６に対し貼着され、剥離力の弱い面が内張板１４に対し貼着される。
【００１２】
なお、図１の例では、各両面テープ２０は、長さ１００ｍｍ、幅３０ｍｍ、厚み１〜２ｍｍであり、構造部材１６及び内張板１４に沿って、所定間隔を空けて断続的に貼着されている。また、両面テープ２０の粘着力のみによって、内張板１４が構造部材１６に確実に固定されるように、内張板１４の重さや表面仕上げを考慮して、両面テープ２０の剥離力の弱い面の粘着力が決定されている。これと同時に、この剥離力の弱い面は、内張板１４から剥がされる際に、内張板１４の表面にダメージを与えることのない剥離力であることが望ましい。また、図１の例では、予備的に粘着テープ２０を補助するためのリベット２２が併用されているが、このリベット２２は、内張板１４が構造部材１６に確実に固定される上で、必須ではない。
【００１３】
一方、図２の例は、図１の各両面テープ２０に換えて、両面テープ２４が、構造部材１６及び内張板１４に沿って、連続的に貼着されている。粘着テープ２４の寸法は、幅１０ｍｍ、厚み１〜２ｍｍであり、長さは、貼着する構造部材１６の貼着可能範囲に応じて決定される。また、図２の粘着テープ２４も、その粘着力のみによって、内張板１４が構造部材１６に確実に固定されるように、剥離力の弱い面の粘着力が決定されているが、同時に、この剥離力の弱い面は、内張板１４から剥がされる際に、内張板１４の表面にダメージを与えることのない剥離力であることが望ましい。また、図１の例と同様に、予備的に粘着テープ２４を補助するためのリベット２２が併用されているが、このリベット２２は、内張板１４が構造部材１６に確実に固定される上で、必須ではない。
【００１４】
図１、図２の何れの場合も、内張板１４を剥がす際には、最初に内張板１４の高さ方向中央部を構造部材１６から浮かせ、内張板１４と構造部材１６との間にできる隙間に手を挿し込み、手前に内張板１４を引くことのみによって、簡単に内張板１４を構造部材１６から取り去ることが可能となる。また、図示の例では、何れも、コンテナ１０の、扉１２の内張板１４の取付け構造を示しているが、コンテナ１０の、縦壁の内張板の取付け構造についても、扉の場合と同様に適用することができる。
【００１５】
上記構成をなす、本発明の実施の形態によれば、次のような作用効果を得ることが可能となる。まず、内張板１４が、両面テープ２０、２４を介して、コンテナ１０の縦壁又は扉１２に縦横に延設され、室内側に露出する構造部材１６に対し固定されることで、内張板１４にリベットやタッピンねじ等、結合部材１８（図４参照）のための複数の孔を、形成することなく、内張板１４を確実に構造部材１６に固定することが可能となる。又、結合部材１８（図４）のための孔を形成する際の、バリの発生を回避することができる。又、ここで使用される両面テープ２０、２４は、両面の剥離力に強弱差を有するものであり、強い粘着力をもつ面を、内張板１４の交換時に両面テープ２０、２４を残したい面に貼着しておくことで、交換時には容易に内張板１４が構造部材１６から剥れ、交換が可能となる。しかも、内張板１４は、表面と裏面との形態が同等に仕上られており、穿孔等の形態変化も受けていないことから、一度使用した内張板１４を剥がし、その表裏を裏返して、再利用することが可能となる。
【００１６】
又、両面テープ２０、２４の、剥離力の強い面が室内側に露出する構造部材１６に対し貼着され、剥離力の弱い面が内張板１４に対し貼着されていることにより、内張板１４の交換時に、両面テープ２０、２４は内張板１４側から剥がれ、室内側に露出する構造部材１６側に残る。そして、剥がされた内張板１４の表裏を裏返して、それまで表側に位置していた面を、構造部材１６側に残った両面テープ２０、２４に貼着することで、内張板１４をそのまま再利用することが可能となる。
【００１７】
又、図１に示された両面テープ２０は、構造部材１６及び内張板１４に沿って断続的に貼着され、図２に示された両面テープ２４は、構造部材１６及び内張板１４に沿って、連続的に貼着されている。このように、両面テープの形状を適宜選択することで、室内側に露出する構造部材１６の幅や長さ、内張板１４の大きさ等に応じ、最適の粘着強度と、内張板１４を交換する際の最適の剥離力の設定が可能となる。なお、図１、図２に示された粘着テープ２０、２４の形状及び貼着位置は、あくまでも一例であり、必要に応じ、他の形状及び貼着位置とすることができる。
しかも、本実施の形態に用いられる両面テープ２０、２４の厚みは１〜２ｍｍであることから、内張板１４と構造部材１６との間に、両面テープ２０、２４が介在することで、コンテナ１０の内寸が狭まる等の悪影響を与えることもなく、必要な室内容積を確保することができる。
【図面の簡単な説明】
【００１８】
【図１】本発明の実施の形態に係るコンテナの、扉の内張板の取付け構造を示す模式図である。
【図２】図１の応用例を示す模式図である。
【図３】従来の貨物輸送用のコンテナを示す正面図である。
【図４】従来の貨物輸送用のコンテナの、扉の内張板の取付け構造を示す模式図である。
【符号の説明】
【００１９】
１０：コンテナ、１２：扉、１４：内張板、１６：構造部材、１８：結合部材、  ２０、２４：両面テープ、２２：リベット
【図１】
2007050911.tif 000003
【図２】
2007050911.tif 000004
【図３】
2007050911.tif 000005
【図４】
2007050911.tif 000006